(57)【特許請求の範囲】
【請求項１】
天板と、天板下面に固着された複数の脚フレームと、各脚フレームに固着され上下方向に伸縮可能な伸縮軸を有する油圧シリンダーと、各油圧シリンダーに同時に同量の油を供給、排出する天板下面に固着された油圧ポンプと、油圧シリンダーの伸縮軸下端に接合される下部カバーと、該下部カバーに上下摺動自在に嵌合される上部カバーと、を備え、
前記油圧シリンダー上部より延設される油挿通用のホースを、下部カバーと干渉することのない上部カバー上部に設けた挿通孔を通して油圧ポンプと連結したことを特徴とするテーブルの上下昇降装置。
【請求項２】
前記天板の側片の一部が壁面、パーティション、または他のテーブルの後端部等に近接して使用され、かつ油圧ポンプが前記壁面等に近接する辺に沿うように配設されるとともに、少なくとも前記油圧ポンプと使用者側とを、天板下面より下方に垂設される幕板によって区画した請求項１に記載のテーブルの上下昇降装置。
【請求項３】
天板が略三角形、そして脚体が前記略三角形の角部に形成されているテーブルであって、油圧ポンプ及びホースと使用者側とを幕板で区画するように、その幕板が３本の脚体近傍まで延設されている請求項２に記載のテーブルの上下昇降装置。
【発明の詳細な説明】
【０００１】
【発明の属する技術分野】
本発明は、テーブルの上下昇降装置に関し、さらに詳しくは脚部に伸縮可能な油圧シリンダーを備え、その油圧シリンダーを使用して天板を上下移動可能としたテーブルの上下昇降装置に関する。
【０００２】
【従来の技術】
従来、脚部に伸縮可能な油圧シリンダーを備え、その油圧シリンダーを使用して天板を上下移動可能としたテーブルの上下昇降装置としては実公平３−３２０７号公報、及び特開平５−２５３０２２号公報に開示されているもの等がある。これらは、テーブルの脚部に設けられた複数の油圧シリンダーを油圧ポンプにより同時に伸縮させることで、テーブルの高さ変更を自在に行えるようにしたものであった。
【０００３】
【発明が解決しようとする課題】
しかしながら、前者のものは、複数の油圧シリンダー自体が脚として天板を支える構造であるために、油圧シリンダーの外筒部と伸縮軸との外形差が大きく、接続部で段差となり、外観が見苦しかった。また後者のものは、複数の油圧シリンダーを箱状の脚部が覆うため外観は良好となるが、多方向から使用したいテーブルの場合には、箱状の脚部がテーブル使用者の足入れの邪魔となるという問題点があった。
【０００４】
本発明はこのような問題点を解決するため、油圧シリンダーを有する各々の脚体をカバーで覆うことで外観を良好とするとともに、脚部がテーブル使用者の脚入れの邪魔にならないようにしたテーブルの上下昇降装置を提供することを目的としている。
【０００５】
【課題を解決するための手段】
上記目的を達成するために、請求項１の発明に係るテーブルの上下昇降装置は、天板と、天板下面に固着された複数の脚フレームと、各脚フレームに固着され上下方向に伸縮可能な伸縮軸を有する油圧シリンダーと、各油圧シリンダーに同時に同量の油を供給、排出する天板下面に固着された油圧ポンプと、油圧シリンダーの伸縮軸下端に接合される下部カバーと、該下部カバーに上下摺動自在に嵌合される上部カバーとを備え、前記油圧シリンダー上部より延設される油挿通用のホースを、下部カバーと干渉することのない上部カバー上部に設けた挿通孔を通して油圧ポンプと連結したことを特徴としている。
この特徴によれば、各々の油圧シリンダーの全体がカバーで覆われるとともに、油圧シリンダーの伸縮軸が上下に伸縮しても、下部カバーと上部カバーとがスライドして油圧シリンダーを常に覆うために、テーブルの外観が損われることがない。また、油圧ポンプを天板下面に固着したことにより、該油圧ポンプがテーブル使用者の足入れの邪魔となることがない。
【０００６】
更に、天板の上下昇降時に相対移動するカバー体等でホースが挟まれ、油の挿通に支障をきたしたり、ホースを破損することがなく、かつホースがテーブル使用者の邪魔となることがない。
【０００７】
本発明のテーブルの上下昇降装置は、前記天板の側片の一部が壁面、パーティション、または他のテーブルの後端部等に近接して使用され、かつ油圧ポンプが前記壁面等に近接する辺に沿うように配設されるとともに、少なくとも前記油圧ポンプと使用者側とを、天板下面より下方に垂設される幕板によって区画することが好ましい。
このようにすることで、より少ない部材で効率よく油圧ポンプを覆えるとともに、外観の向上に加え、油圧ポンプを保護できる。
【０００８】
本発明のテーブルの上下昇降装置は、天板が略三角形、そして脚体が前記略三角形の角部に形成されているテーブルであって、油圧ポンプ及びホースと使用者側とを幕板で区画するように、その幕板が３本の脚体近傍まで延設されていることが好ましい。
このようにすることで、油圧ポンプはもとより、油供給のためのホースも完全に外部から見えないように覆うことが出来る。
【０００９】
【発明の実施の形態】
以下、本発明の実施例を図面に基づいて説明していくと、まず図１、２には本発明の実施例の上下昇降装置を備えたテーブル１の平面図、正面図がそれぞれ示されている。このテーブル１は、図１に示されるように天板２が略直角三角形状に形成され、主にこの天板２の側辺２ａ、２ｂを壁面、パーティション、または他のテーブルの後端部等に当接させて使用出来るようになっている。また側辺２ｃは、使用者が使用し易いように曲線状に形成されている。
【００１０】
天板２の各コーナー下面には、上下方向に伸縮可能な脚体３が、取付板４を介して固設されている。５は、シリンダー６と、モータ７の作動により前記シリンダー６内に液体を供給、排出するポンプ装置８とからなる油圧ポンプであり、前記シリンダー６は、その先端より延出されるホース９を介して、後述する各脚体３に内設された油圧シリンダーに連結されている。尚、１０はモーター７及びポンプ装置８の電源及びスイッチ部（特に図示せず）に連結されるコードである。
【００１１】
前記油圧ポンプ５及びホース９、コード１０等は、全て天板２の下面に固設されるとともに、特に油圧ポンプ５においてはシリンダー６が天板２の側辺２ａに沿うように配設されているので、テーブル使用者の足入れの邪魔になることがない。
【００１２】
さらに、油圧ポンプ５の前方側、即ち天板２の側辺２ｃ方向側には、天板２の下面より垂下される幕板１１が配設されているため、特に図２に示されるように、側辺２ｃ側、即ち使用者側からは油圧ポンプ５が見えないようになっているとともに、油圧ポンプ５が使用者の足により破損されないように保護されている。
【００１３】
また、特に本実施例においては、天板２の側辺２ｂも壁面、パーティション、または他のテーブルの後端部等に当接させて使用するようになっているため、前記幕板１１は、図１中点線で示されるように側辺２ｂに沿うように配設されるホース９も覆うように略Ｌ字状に形成されている。
【００１４】
脚体３は、特に図３（Ａ）、（Ｂ）、及び図４に示されるように、天板２の下面にビス１２を介して固着された取付板４に溶接等で固定された脚フレーム１３と、該脚フレーム１３内に固着された油圧シリンダー１５と、これらの外周を覆う上部カバー１６、下部カバー１７とからなる。
【００１５】
前記脚フレーム１３は、特に図４に示されるように断面略コ字状に形成され、その背板１３ａに油圧シリンダー１５をビス１４により固着できるようになっているので、油圧シリンダー１５の交換やメンテナンスをする際の取外し、取付けを容易に行える。また、油圧シリンダー１５の上端より延出されるホース９は、脚フレーム１３の前面上下方向に形成された開口部２４を介して脚フレーム１３外部に容易に挿通出来るようになっている。
【００１６】
前記油圧シリンダー１５に伸縮自在に嵌挿されたロッド１８の下端には、キャスター１９を有する脚部材２０がボルト２１を介して取付けられており、前記脚部材２０の上部外周に円筒状の下部カバー１７が嵌合されている。そしてこの下部カバー１７の上部開口には、油圧シリンダー１５を有する脚フレーム１３及び該脚フレーム１３の外周を覆う円筒状の上部カバー１６が嵌挿されている。
【００１７】
前記上部カバー１６の上部には、取付板４の下面を覆う覆部１６ａが形成されており、上部カバー１６は、この覆部１６ａと取付板４とを貫通するビス２２により天板２の下面に取付けられるようになっている。
【００１８】
また、油圧シリンダー１５のホース９は、下部カバー１７と干渉することのない前記覆部１６ａに設けられた孔（図示せず）を通して油圧ポンプ５に連結できるようになっている。
【００１９】
尚、下部カバー１７の上部開口には、内周面が上部カバー１６の外周面に摺接するリング部材２３が設けられ、上部カバー１６の外周面と下部カバー１７の内周面との間の隙間が塞がれているので、前記隙間に何らかのゴミ等が挟まって天板２の昇降に支障をきたしたり、使用者の指等が挟まれたりすることがない。
【００２０】
次に、このように構成された本実施例のテーブルの上下昇降装置の作用を説明する。まず、テーブル１の天板２を上昇させる場合、使用者は油圧ポンプ５に連結されるスイッチ部を介してモーター７及びポンプ装置８を作動させる。するとシリンダー６内の液体がホース９を介して各脚体３の油圧シリンダー１５内にそれぞれ同期的に同量ずつ送出される。
【００２１】
すると、図３（Ｂ）に示されるように、油圧シリンダー１５が、ロッド１８を基軸として上方に伸長され、天板２が上昇する。この時、上部カバー１６も前記天板２とともに上昇することになる。そして天板２が所望の高さ位置に達した時にスイッチを切れば、油圧ポンプ５から油圧シリンダー１５への流体の供給が停止され、天板２は適宜位置で停止する。
【００２２】
また、天板２を下降させるには、前記スイッチ部を介してモータ及びポンプ装置８とを前述と逆駆動させて油圧シリンダー１５のロッド１８を収縮させればよい。
【００２３】
以上説明してきたように、本発明実施例のテーブルの上下昇降装置にあっては、天板を支持する各々の油圧シリンダーがそれぞれ個別のカバーで覆われるとともに、油圧シリンダーが上下に伸縮しても、下部カバーと上部カバーとがスライドして前記油圧シリンダーその外周が常に覆われるようになっているために、テーブルを任意の高さにしても、外観が損われることがない。
【００２４】
また、油圧ポンプが天板下面に固着されていることで、該油圧ポンプがテーブル使用者の足入れの邪魔になることがない。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
例えば、本実施例において、上部カバー１６が下部カバー１７内に摺動自在に嵌挿されているが、逆に上部カバー１６が下部カバー１７外周に嵌挿されていてもよい。
【００２７】
【発明の効果】
本発明は次の効果を奏する。
【００２８】
（ａ）請求項１の発明によれば、各々の油圧シリンダーの全体がカバーで覆われるとともに、油圧シリンダーの伸縮軸が上下に伸縮しても、下部カバーと上部カバーとがスライドして油圧シリンダーを常に覆うために、テーブルの外観が損われることがない。また、油圧ポンプを天板下面に固着したことにより、該油圧ポンプがテーブル使用者の足入れの邪魔となることがない。
【００２９】
更に、天板の上下昇降時に相対移動するカバー体等でホースが挟まれ、油の挿通に支障をきたしたり、ホースを破損することがなく、かつホースがテーブル使用者の邪魔となることがない。
【００３０】
（ｂ）請求項２の発明によれば、より少ない部材で効率よく油圧ポンプを覆えるとともに、外観の向上に加え、油圧ポンプを保護できる。
【００３１】
（ｃ）請求項３の発明によれば、油圧ポンプはもとより、油供給のためのホースも完全に外部から見えないように覆うことが出来る。
【００３２】
【図面の簡単な説明】
【図１】本発明実施例の上下昇降装置を備えたテーブルの平面図である。
【図２】本発明実施例の上下昇降装置を備えたテーブルの正面図である。
【図３】（Ａ）は図１のＡ−Ａ断面図であり、（Ｂ）は（Ａ）に対応する作用を表わす断面図である。
【図４】図３のＢ−Ｂ断面図である。
【符号の説明】
１                テーブル
２                天板
２ａ、２ｂ、２ｃ  側辺
３                脚体
４                取付板
５                油圧ポンプ
６                シリンダー
７                モーター
８                ポンプ装置
９                ホース
１０                コード
１１                幕板
１２                ビス
１３                脚フレーム
１４                ビス
１５                油圧シリンダー
１６                上部カバー
１７                下部カバー
１８                ロッド
１９                キャスター
２０                脚部材
２１                ボルト
２２                ビス
２３                リング部材
２４                開口部
【図１】
0003621499.tif 000002
【図２】
0003621499.tif 000003
【図３】
0003621499.tif 000004
【図４】
0003621499.tif 000005